(57)【要約】  例示的な方法は、シンクデバイスによってソースデバイスから、シンクデバイスとソースデバイスとの接続を介してソースデバイスの加入者情報モジュール（ＳＩＭ）に対応する識別情報を受信するステップと、シンクデバイスにおいて、ソースデバイスのＳＩＭに対応する識別情報を用いてリモートＳＩＭを登録するステップと、シンクデバイスのアプリケーションによってリモートＳＩＭを利用して、ソースデバイスのセルラー無線トランシーバを介して外部デバイスと通信を行うステップとを含む。
2021515423.tif 000002
【特許請求の範囲】
【請求項１】
シンクデバイスによってソースデバイスから、前記シンクデバイスと前記ソースデバイスとの接続を介して前記ソースデバイスの加入者情報モジュール（ＳＩＭ：Ｓｕｂｓｃｒｉｂｅｒ  Ｉｎｆｏｒｍａｔｉｏｎ  Ｍｏｄｕｌｅ）に対応する識別情報を受信するステップと、
前記シンクデバイスにおいて、前記ソースデバイスのＳＩＭに対応する前記識別情報を用いてリモートＳＩＭを登録するステップと、
前記シンクデバイスのアプリケーションによって前記リモートＳＩＭを利用して、前記ソースデバイスのセルラー無線トランシーバを介して外部デバイスと通信を行うステップとを含む、方法。
【請求項２】
前記シンクデバイスと前記ソースデバイスとの前記接続の解除に応答して、前記シンクデバイスにおいて前記リモートＳＩＭの登録を解除するステップをさらに含む、請求項１に記載の方法。
【請求項３】
前記シンクデバイスによって前記ソースデバイスから電話通信記録を受信するステップをさらに含み、前記電話通信記録は、連絡先リスト、メッセージログ、および通話記録のうちの１つ以上を含む、請求項１〜２のいずれか１項に記載の方法。
【請求項４】
前記シンクデバイスと前記ソースデバイスとの前記接続の解除に応答して、前記シンクデバイスにおいて前記リモートＳＩＭの登録を解除し、かつ、前記受信した電話通信記録を削除するステップをさらに含む、請求項１〜３のいずれか１項に記載の方法。
【請求項５】
前記シンクデバイスと前記ソースデバイスとの前記接続は、ワイヤレス接続を含み、前記外部デバイスと通信を行うステップは、
前記ソースデバイスのセルラー無線トランシーバを介して送信されるデータを、前記ワイヤレス接続を介して前記シンクデバイスによって前記ソースデバイスに出力するステップを含む、請求項１〜４のいずれか１項に記載の方法。
【請求項６】
前記ワイヤレス接続は、Ｂｌｕｅｔｏｏｔｈリンクを含み、前記ソースデバイスの前記無線トランシーバは、セルラートランシーバを含む、請求項５に記載の方法。
【請求項７】
前記識別情報を受信するステップは、前記ソースデバイスの複数のＳＩＭの各々についてそれぞれの識別情報を受信するステップを含み、
前記リモートＳＩＭを登録するステップは、前記ソースデバイスの複数のＳＩＭの各々についてそれぞれのリモートＳＩＭを前記それぞれの識別情報を用いて登録するステップを含む、請求項１〜６のいずれか１項に記載の方法。
【請求項８】
前記シンクデバイスは、前記リモートＳＩＭを利用して通信可能な無線トランシーバを含まない、請求項１〜７のいずれか１項に記載の方法。
【請求項９】
１つ以上の通信モジュールと、
請求項１〜８に記載の方法を実行するように構成された少なくとも１つのプロセッサとを備える、シンクデバイス。
【請求項１０】
ソースデバイスによってシンクデバイスに、前記シンクデバイスと前記ソースデバイスとの接続を介して前記ソースデバイスの加入者情報モジュール（ＳＩＭ）に対応する識別情報を出力するステップと、
前記ソースデバイスによって前記ソースデバイスのセルラー無線トランシーバを利用して、セルラーネットワークと前記シンクデバイスとの間でデータを中継するステップとを含み、前記中継されたデータは、前記ソースデバイスのＳＩＭに対応する前記識別情報を用いて前記シンクデバイスで登録されるリモートＳＩＭに対応する、方法。
【請求項１１】
前記ソースデバイスによって前記シンクデバイスに電話通信記録を出力するステップをさらに含む、請求項１０に記載の方法。
【請求項１２】
前記シンクデバイスと前記ソースデバイスとの前記接続は、ワイヤレス接続を含み、前記データを中継するステップは、
前記ソースデバイスによって前記シンクデバイスから、前記ワイヤレス接続を介してデータを受信するするステップと、
前記ソースデバイスのセルラー無線トランシーバを使用して前記データを前記セルラーネットワークに送信するステップとを含む、請求項１０〜１１のいずれか１項に記載の方法。
【請求項１３】
前記ワイヤレス接続は、Ｂｌｕｅｔｏｏｔｈリンクを含む、請求項１２に記載の方法。
【請求項１４】
前記識別情報を出力するステップは、前記ソースデバイスの複数のＳＩＭの各々についてそれぞれの識別情報を出力するステップを含む、請求項１０〜１３のいずれか１項に記載の方法。
【請求項１５】
１つ以上の通信モジュールと、
請求項１０〜１４に記載の方法を実行するように構成された少なくとも１つのプロセッサとを備える、ソースデバイス。
【発明の詳細な説明】
【背景技術】
【０００１】
背景
いくつかのコンピューティングデバイス（たとえば、携帯電話）は、加入者識別モジュール（ＳＩＭ）（ＳＩＭカードとも称される）を利用してモバイルネットワークに接続する。ＳＩＭカードは、一般的に、セルラー規格（たとえば、ＧＳＭ（登録商標）、ＣＤＭＡなど）に準拠するセルラー電話／デバイスとの接続に用いられるスマートカードである。ＳＩＭカードは、加入者によってデバイスから取り外してその他のデバイスで利用することができ、ユーザが自身の「ＩＤ」をデバイス間で利用しやすくなる。これに加えて、いくつかのデバイスは、いわゆる、埋め込み型ＳＩＭ（ｅＳＩＭ）を含む。埋め込み型ＳＩＭでは、ユーザが好きな事業者（たとえば、キャリア、プロバイダなど）を選択してから、ｅＳＩＭ対応デバイスにその事業者のＳＩＭアプリケーションをセキュアにダウンロードすることができ、物理ＳＩＭカードを使用しないでセルラーネットワークを介して通信するよう、ｅＳＩＭ対応デバイスを設定できる。
【０００２】
しかしながら、ＳＩＭカードの相対的なポータビリティおよびｅＳＩＭ技術にもかかわらず、デバイス間でユーザが自身のＳＩＭカードを移すことは現実的ではない。たとえば、頻繁に使うデバイス間（たとえば、携帯電話と車両との間）でユーザが自身のＳＩＭカードを移すことはやや不便であろう。
【発明の概要】
【発明が解決しようとする課題】
【０００３】
概要
全体的に、本開示の技術は、コンピューティングデバイスが、別のデバイスのローカルＳＩＭまたはローカル無線がない場合または当該ローカルＳＩＭまたはローカル無線の代わりに、当該コンピューティングデバイスのＳＩＭおよび対応するセルラー無線を利用するように当該別のデバイスを設定することを可能にすることを対象とする。たとえば、ＳＩＭを有するモバイル機器は、リモートデバイス（たとえば、車両情報通信システム（Ｖｅｈｉｃｌｅ  Ｉｎｆｏｔａｉｎｍｅｎｔ  Ｓｙｓｔｅｍ））にデータを提供して、モバイル機器のＳＩＭに対応する情報を用いてリモートデバイスがリモートＳＩＭを作成することを可能にしてもよい。モバイル機器で実行中のアプリケーションにモバイル機器のオペレーティングシステムがモバイル機器のＳＩＭ（すなわち、ローカルＳＩＭ）を提示する方法と同様の方法で、リモートデバイスのオペレーティングシステムは、リモートデバイスで実行中のアプリケーションに、リモートＳＩＭを提示してもよい。このように、ローカルＳＩＭを利用するように書かれたアプリケーションは、変更を行うことなく、リモートＳＩＭを使ってデバイスで実行することができる。
【０００４】
本開示の全体にわたって、コンピューティングデバイスおよび／またはコンピュータシステムが、コンピューティングデバイスに関連付けられた情報（たとえば、電子メール、その他の通信など）コンピューティングデバイスのユーザを、当該情報を解析するための明示的な許可をコンピューティングデバイスのユーザからコンピューティングデバイスおよび／またはコンピュータシステムが受信した場合にのみ解析し得る例を記載する。たとえば、コンピューティングデバイスおよび／またはコンピュータシステムが、ユーザおよびコンピューティングデバイスに関連付けられた通信情報を収集または利用することができる後述の状況において、コンピューティングデバイスおよび／またはコンピュータシステムのプログラムまたは機能がユーザ情報（たとえば、ユーザの電子メール、ユーザのソーシャルネットワーク、社会的行為または活動、職業、ユーザの好み、またはユーザの過去および現在位置についての情報）を収集または利用できるかどうかを制御するための入力、またはコンピューティングデバイスおよび／またはコンピュータシステムがユーザに関係がある可能性のあるコンテンツを受信できるかどうかおよび／またはどのように受信するかを決定するための入力を行う機会がユーザに与えられ得る。これに加えて、特定のデータは、コンピューティングデバイスおよび／またはコンピュータシステムによって格納または使用される前に、個人を特定可能な情報が取り除かれるように１つ以上の方法で処理することができる。たとえば、ユーザについての個人を特定可能な情報が判定できないようにユーザの識別情報を処理したり、ユーザの特定の位置が判定できないように位置情報（市、郵便番号、または州レベルなど）が取得されるユーザの地理的位置を一般化したりしてもよい。したがって、ユーザは、コンピューティングデバイスおよび／またはコンピュータシステムによってユーザの情報が収集されるかどうか、収集された場合、この情報をどのように使用してもよいかについて制御することができる。
【０００５】
１つ以上の例の詳細を、添付の図面および以下の説明において記載する。本開示のその他の特徴、目的、および利点は、本明細書および図面から、ならびに請求の範囲から明らかになるであろう。
【図面の簡単な説明】
【０００６】
【図１】本開示の１つ以上の態様に係る、リモートＳＩＭ機能に対応するように構成されたデバイスを含んだ例示的なコンピューティングシステムを示す概念図である。
【図２】本開示の１つ以上の態様に係る、リモートＳＩＭの作成ができるように構成された例示的なＳＩＭソースデバイスのブロック図である。
【図３】本開示の１つ以上の態様に係る、リモートＳＩＭを利用するように構成された例示的なＳＩＭシンクデバイスのブロック図である。
【図４】本開示の１つ以上の態様に係る、ＳＩＭソースデバイスによって行われる、リモートＳＩＭの利用を可能にするための動作例を示すフローチャートである。
【図５】本開示の１つ以上の態様に係る、ＳＩＭシンクデバイスによって行われる、リモートＳＩＭを利用するための動作例を示すフローチャートである。
【発明を実施するための形態】
【０００７】
詳細な説明
本開示の全体的な技術は、コンピューティングデバイス（「ＳＩＭソースデバイス」と称する）が、別のデバイス（「ＳＩＭシンクデバイス」と称する）に当該ＳＩＭソースデバイスのＳＩＭを利用させることを可能にすることを対象とする。たとえば、ローカルＳＩＭ（たとえば、物理ＳＩＭまたはｅＳＩＭ）を有するＳＩＭソースデバイスは、ＳＩＭソースデバイスのＳＩＭに対応する情報を用いてリモートデバイスがリモートＳＩＭを作成／登録できるようにするデータをＳＩＭシンクデバイスに提供してもよい。ＳＩＭソースデバイスで動作するアプリケーションにＳＩＭソースデバイスのオペレーティングシステムがＳＩＭソースデバイスのＳＩＭ（「ローカルＳＩＭ」と称する）を提示し得る方法と同様の方法で、ＳＩＭシンクデバイスのオペレーティングシステムはＳＩＭシンクデバイスで動作するアプリケーションにリモートＳＩＭを提示してもよい。このように、ローカルＳＩＭを利用するように書かれたアプリケーションは、リモートＳＩＭを変更することなく使用してデバイスで動作してもよい。
【０００８】
ＳＩＭシンクデバイスで動作するアプリケーションは、リモートＳＩＭを利用して通信を行ってもよい。たとえば、アプリケーションがＳＭＳ（Ｓｈｏｒｔ  Ｍｅｓｓａｇｅ  Ｓｅｒｖｉｃｅ）アプリケーションである場合、ＳＩＭシンクデバイスで動作するＳＭＳアプリケーションは、ＳＩＭソースデバイスのローカルＳＩＭを使用してＳＩＭソースデバイスで動作するＳＭＳアプリケーションが出力するＳＭＳメッセージと受信側が区別がつかないＳＭＳメッセージを出力してもよい。いくつかの例では、ＳＩＭシンクデバイスは、ＳＩＭシンクデバイスのセルラー無線ハードウェアを介してリモートＳＩＭを使用して通信を行ってもよい。たとえば、ＳＩＭシンクデバイスで動作するＳＭＳアプリケーションは、ＳＩＭシンクデバイスのセルラーハードウェアに、ＳＭＳメッセージを（たとえば、セルタワーまたはその他の基地局に）送信させてもよい。いくつかの例では、ＳＩＭシンクデバイスは、ＳＩＭソースデバイスのセルラー無線ハードウェアを介してリモートＳＩＭを使用して通信を行ってもよい。たとえば、ＳＩＭシンクデバイスで動作するＳＭＳアプリケーションは、ＳＩＭソースデバイスのセルラーハードウェアがＳＭＳメッセージを（たとえば、セルタワーまたはその他の基地局に）送信するよう、ＳＩＭソースデバイスに（たとえば、有線またはワイヤレス接続を介して）ＳＭＳメッセージを送信してもよい。
【０００９】
このように、記載の技術は、ＳＩＭシンクデバイスなど、コンピューティングデバイスが、別のデバイスのＳＩＭを利用した通信が可能なセルラー無線を含まないで当該別のデバイスのＳＩＭを使用して通信することを可能にし得る。このように、記載の技術は、ＳＩＭソースデバイスおよびＳＩＭシンクデバイスの一方または両方の基盤となる機能を改善し得る。つまり、ローカルＳＩＭを必要としたり、他のデバイスに異なるデバイスのＳＩＭの利用をさせなかったりするその他のコンピューティングデバイスとは異なり、記載の技術は、第１デバイスが第２デバイスに第１デバイスのローカルＳＩＭを介して通信を行う機能を提供することを可能にし得る。さらには、たとえば、ソースデバイスがシンクデバイス（たとえば、ソースデバイスが携帯電話であって、シンクデバイスが自動車である場合）よりも高度または新しいセルラー無線技術を有している場合、アプリケーションは、パフォーマンスの向上の恩恵を受けるであろう。
【００１０】
図１は、本開示の１つ以上の態様に係る、リモートＳＩＭ機能を有効にするように構成されたデバイスを備える例示的なコンピューティングシステムを示す概念図である。図１に示すように、システム１００は、ＳＩＭソースデバイス１１０と、ネットワーク１５０と、ＳＩＭシンクデバイス１６０とを備えてもよい。ＳＩＭソースデバイス１１０およびＳＩＭシンクデバイス１６０の各々として、携帯電話、タブレットコンピュータ、ラップトップコンピュータ、ウェアラブルデバイス（たとえば、コンピュータ化されたウォッチ、コンピュータ化された眼鏡、コンピュータ化されたグローブなど）、ＰＤＡ（Ｐｅｒｓｏｎａｌ  Ｄｉｇｉｔａｌ  Ａｓｓｉｓｔａｎｔ）、フィットネストラッカー、ポータブルゲームシステム、メディアプレーヤ、電子書籍リーダ、モバイルテレビジョンプラットフォーム、車両コンピューティングシステム（たとえば、ヘッドマウントディスプレイ、情報通信システム、またはその他の車両システム）、またはその他の種類のコンピューティングデバイスなどが挙げられるが、これらに限定されない。
【００１１】
ネットワーク１５０は、ＳＩＭソースデバイス１１０とＳＩＭシンクデバイス１６０との間など、コンピューティングデバイス間でデータを送信するための任意の有線またはワイヤレス通信ネットワークを表す。さらなる詳細は後述するが、ＳＩＭソースデバイス１１０は、ネットワーク１５０を介してＳＩＭシンクデバイス１６０とデータをやり取りして、ＳＩＭソースデバイス１１０のＳＩＭカードに対応するリモートＳＩＭカードをＳＩＭシンクデバイス１６０が登録して利用することを可能にしてもよい。ネットワーク１５０は、１つ以上のネットワークハブ、ネットワークスイッチ、ネットワークルータ、またはその他のネットワーク機器を含んでもよく、これらは、操作可能に互いに連結されてＳＩＭシンクデバイス１６０とＳＩＭソースデバイス１１０との間で情報がやり取りできるようにする。ＳＩＭソースデバイス１１０およびＳＩＭシンクデバイス１６０は、任意の適切な通信技術を利用して、ネットワーク１５０を超えてデータを送受信してもよい。ＳＩＭソースデバイス１１０およびＳＩＭシンクデバイス１６０は、各々、それぞれのネットワークリンクを使用して、ネットワーク１５０に操作可能に連結または少なくとも通信可能に連結されてもよい。ＳＩＭソースデバイス１１０およびＳＩＭシンクデバイス１６０をネットワーク１５０に連結するリンクは、ＵＳＢ（Ｕｎｉｖｅｒｓａｌ  Ｓｅｒｉａｌ  Ｂｕｓ）、Ｅｔｈｅｒｎｅｔ（登録商標）、Ｂｌｕｅｔｏｏｔｈ（登録商標）、Ｗｉ−Ｆｉ、またはその他の種類の接続のうちの１つ以上の組合せであってもよく、このような接続は、ワイヤレス接続および／または有線接続であってもよい。
【００１２】
ＳＩＭソースデバイス１１０は、ユーザインターフェースコンポーネント（ＵＩＣ：Ｕｓｅｒ  Ｉｎｔｅｒｆａｃｅ  Ｃｏｍｐｏｎｅｎｔ）１１２と、１つ以上の通信部１４２と、１つ以上のＳＩＭカード１３０と、１つ以上のアプリケーション１２４と、通信モジュール１２６とを備え、ＳＩＭシンクデバイス１６０は、ユーザインターフェースコンポーネント（ＵＩＣ）１６２と、１つ以上の通信部１４３と、１つ以上のアプリケーション１２５と、通信モジュール１２７とを備える。一般に、特に明示しない限り、モジュール１２４、１２５、１２６、および１２７は、ソフトウェア、ハードウェア、ファームウェア、またはＳＩＭソースデバイス１１０およびＳＩＭシンクデバイス１６０に存在するまたはＳＩＭソースデバイス１１０およびＳＩＭシンクデバイス１６０で動作するハードウェア、ソフトウェア、およびファームウェアの組合せを利用して本明細書に記載の動作を実行してもよい。ＳＩＭソースデバイス１１０およびＳＩＭシンクデバイス１６０は、複数のプロセッサまたは複数のデバイスを用いて、基盤となるハードウェア上で動作する仮想マシンとして、オペレーティングシステムまたはコンピューティングプラットフォームの１つ以上のサービスとして、および／またはＳＩＭソースデバイス１１０またはＳＩＭシンクデバイス１６０のコンピューティングプラットフォームのアプリケーション層で実行可能な１つ以上のプログラムとしてモジュール１２４、１２５、１２６、および１２７を実行してもよい。いくつかの例では、ＳＩＭソースデバイス１１０およびＳＩＭシンクデバイス１６０は、アプリケーションリポジトリ（たとえば、アプリストア）またはその他のデータベースからモジュール１２４、１２５、１２６、および１２７のいずれもダウンロードすることができる。いくつかの例では、ＳＩＭソースデバイス１１０およびＳＩＭシンクデバイス１６０には、製造時またはユーザに提供される前にモジュール１２４、１２５、１２６、および１２７がプリインストールされていてもよい。
【００１３】
ＳＩＭソースデバイス１１０のＵＩＣ１１２は、ＳＩＭソースデバイス１１０の入力装置および／または出力装置として機能し、ＵＩＣ１６２は、ＳＩＭシンクデバイス１６０の入力装置および／または出力装置として機能する。ＵＩＣ１１２およびＵＩＣ１６２は、各々、様々な技術を用いて実装されてもよい。たとえば、ＵＩＣ１１２およびＵＩＣ１６２は、存在感知入力画面、マイクロフォン技術、赤外線センサー技術、またはユーザ入力を受け付ける際に用いるその他の入力装置技術を利用した入力装置として機能してもよい。ＵＩＣ１１２およびＵＩＣ１６２は、ディスプレイデバイス、スピーカ技術、触覚フィードバック技術、または情報をユーザに出力する際に用いるその他の出力装置技術のうちの任意の１つ以上を利用してユーザに出力を提示するように構成された出力装置として機能してもよい。入力装置として、ＵＩＣ１１２およびＵＩＣ１６２は、ユーザからの入力（たとえば、タッチ入力および非タッチ入力）を検出する。ユーザによって行われるユーザ入力ジェスチャの例（たとえば、ＵＩＣ１１２およびＵＩＣ１６２の１つ以上の位置またはそれらの近くを指またはスタイラスペンでユーザがタッチする、ポインティング動作を行う、および／またはスワイプする）。出力装置として、ＵＩＣ１１２およびＵＩＣ１６２は、ユーザインターフェースの形で情報（たとえば、音声情報、視覚情報、および／または触覚情報）をユーザに提示する。
【００１４】
アプリケーションモジュール１２４および１２５は、それぞれ、ＳＩＭソースデバイス１１０またはＳＩＭシンクデバイス１６０など、コンピューティングデバイスで動作する任意のアプリケーションを含む。アプリケーションモジュール１２４および１２５は、それぞれ、ＳＩＭソースデバイス１１０またはＳＩＭシンクデバイス１６０のコンピューティングプラットフォームまたはオペレーティングシステムのアプリケーション層および／またはオペレーティングシステム層で動作してもよい。アプリケーションモジュール１２４および１２５として、メッセージングアプリケーション、通話アプリケーション、音声および／またはビデオ会議アプリケーション、電子メールクライアント、ウェブブラウザ、カレンダーアプリケーション、ソーシャルメディアアプリケーション、カメラアプリケーション、メディア再生アプリケーション、タイマーアプリケーション、ゲーム、フィットネストラッキングアプリケーション、ヘルスモニタリングアプリケーション、地図またはナビアプリケーション、オフィス生産性アプリケーション、バーチャルアシスタント アプリケーション、電子書籍リーダーアプリケーション、または、ＳＩＭソースデバイス１１０およびＳＩＭシンクデバイス１６０など、コンピューティングデバイスで動作するように構成されたその他の種類のファーストパーティまたはサードパーティアプリケーションなどが挙げられる。
【００１５】
ＳＩＭソースデバイス１１０の１つ以上の通信部１４２および／またはＳＩＭシンクデバイス１６０の１つ以上の通信部１４３は、１つ以上のネットワーク上のネットワーク信号を送信および／または受信することによって、１つ以上の有線および／またはワイヤレスネットワークを介して外部デバイスと通信を行ってもよい。通信部１４２および通信部１４３の例として、ネットワークインターフェースカード（たとえば、Ｅｔｈｅｒｎｅｔカードなど）、光トランシーバ、無線周波数トランシーバ、ＧＰＳ受信機、または、情報を送信および／または受信できるその他の種類のデバイスなどが挙げられる。通信部１４２および通信部１４３のその他の例として、短波無線、セルラーデータ無線（たとえば、ＧＳＭ無線、ＣＤＭＡ無線など）、ワイヤレスネットワーク無線（たとえば、Ｂｌｕｅｔｏｏｔｈ無線）およびＵＳＢ（Ｕｎｉｖｅｒｓａｌ  Ｓｅｒｉａｌ  Ｂｕｓ）コントローラなどを含み得る。
【００１６】
ＳＩＭカード１３０は、ＳＩＭソースデバイス１１０にローカルな１つ以上の加入者識別モジュールを表してもよい。このように、ＳＩＭカード１３０は、ＳＩＭソースデバイス１１０のローカルＳＩＭと称される場合がある。ＳＩＭカード１３０は、物理ＳＩＭまたはｅＳＩＭの任意の組合せを含み得る。ＳＩＭカード１３０の各々は、通信部１４２のセルラー無線がセルラーネットワークと通信することを可能にする加入者識別情報を含んでもよい。この識別情報によって、セルラーネットワークが、（たとえば、データアクセス、請求書送付、データ経路選択などのために）ＳＩＭソースデバイス１１０を特定のユーザアカウントと対応付けすることが可能になってもよい。識別情報として、シリアル番号（ＩＣＣＩＤ）、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）番号、認証Ｋｅｙ（Ｋｉ）、ロケーションエリア識別情報（ＬＡＩ：Ｌｏｃａｌ  Ａｒｅａ  Ｉｄｅｎｔｉｔｙ）および事業者固有の緊急連絡先、ショートメッセージサービスセンター（ＳＭＳＣ）番号、ＳＰＮ（Ｓｅｒｖｉｃｅ  Ｐｒｏｖｉｄｅｒ  Ｎａｍｅ）、ＳＤＮ（Ｓｅｒｖｉｃｅ  Ｄｉａｌｉｎｇ  Ｎｕｍｂｅｒ）、ＡｏＣ（Ａｄｖｉｃｅ−ｏｆ−Ｃｈａｒｇｅ）パラメータ、ＶＡＳ（Ｖａｌｕｅ  Ａｄｄｅｄ  Ｓｅｒｖｉｃｅ）アプリケーション、ならびにＳＩＭソースデバイス１１０のＭＡＣ（Ｍｅｄｉａ  Ａｃｃｅｓｓ  Ｃｏｎｔｒｏｌ）アドレスなどが挙げられ得るが、これらに限定されない。いくつかの例では、ＳＩＭシンクデバイス１６０は、１つ以上のローカルＳＩＭカードを含んでもよい。
【００１７】
図１に示すように、通信部１４２のうちの１つ以上がセルラー基地局（たとえば、セルタワー、マイクロセル、フェムトセルなど）と通信可能なセルラートランシーバを含んでもよい。セルラートランシーバは、ＳＩＭカード１３０のうちの１つのＳＩＭカードの識別情報を用いて通信することが可能であってもよい。
【００１８】
ＳＩＭソースデバイス１１０の通信モジュール１２６および／またはＳＩＭシンクデバイス１６０の通信モジュール１２７は、それぞれ通信部１４２または通信部１４３を介した外部デバイスとの通信を管理して容易にしてもよい。たとえば、通信モジュール１２６および通信モジュール１２７の各々は、それぞれのデバイスで動作するアプリケーションにどのＳＩＭが利用可能であるかを管理してもよい。例として、通信モジュール１２６は、アプリケーション１２４が使用するＳＩＭカード１３０のうちの１つ以上を登録してもよい。通信モジュール１２６および１２７は、ＳＩＭテーブル１２８および１２９をそれぞれ保持してもよい。ＳＩＭテーブル１２８および１２９の各々は、使用可能なＳＩＭのリストを含んでもよい。いくつかの例では、ＳＩＭテーブル１２８および１２９は、利用可能なＳＩＭの各々についての追加情報を含んでもよい。追加情報のいくつかの例として、サブスクリプション識別子、スロットインデックス、キャリア名、電話番号、ＩＣＣ識別子、ＭＣＣ（Ｍｏｂｉｌｅ  Ｃｏｕｎｔｒｙ  Ｃｏｄｅ）、モバイルネットワークコードなどが挙げられるが、これらに限定されない。通信モジュール１２６および１２７は、それぞれ、ＳＩＭソースデバイス１１０またはＳＩＭシンクデバイス１６０のコンピューティングプラットフォームまたはオペレーティングシステムのアプリケーション層および／またはオペレーティングシステム層で動作してもよい。
【００１９】
通信モジュール１２６は、ＳＩＭソースデバイス１１０で使用するためのＳＩＭを、通信モジュール１２６が保持するＳＩＭのテーブルにある当該ＳＩＭのサブスクリプションを追加することによって登録してもよい。同様に、通信モジュール１２７は、ＳＩＭシンクデバイス１６０で使用するためのＳＩＭを、通信モジュール１２７が保持するＳＩＭのテーブルにある当該ＳＩＭのサブスクリプションを追加することによって登録してもよい。
【００２０】
動作中、ＳＩＭソースデバイス１１０を持ったユーザは、ＳＩＭシンクデバイス１６０を利用して、ＳＩＭシンクデバイス１６０が有効ＳＩＭを有している必要がある１つ以上の動作を実行したいと望む場合がある。たとえば、ユーザは、ＳＩＭソースデバイス１１０のＳＩＭカード１３０のうちの特定のＳＩＭカードに対応するＩＤを用いて、ＳＩＭシンクデバイス１６０を利用して１つ以上のＳＭＳメッセージを送信／受信、データを送信／受信、電話をする／受ける、またはその他のデータ転送または電気通信動作を行いたいと望む場合がある。
【００２１】
本開示の１つ以上の技術によると、ＳＩＭソースデバイス１１０は、ＳＩＭソースデバイス１１０のＳＩＭカード１３０のうちの特定のＳＩＭカードに対応するＩＤをＳＩＭシンクデバイス１６０が利用できるようにしてもよい。たとえば、ＳＩＭソースデバイス１１０とＳＩＭシンクデバイス１６０とは、ネットワーク１５０（たとえば、Ｂｌｕｅｔｏｏｔｈリンク）を介して接続を確立してもよい。ＳＩＭソースデバイス１１０は、ＳＩＭカード１３０のうちの当該特定のＳＩＭカードに対応する識別情報を、接続１５０を介してＳＩＭシンクデバイス１６０に出力してもよい。いくつかの例では、この識別情報は、当該特定のＳＩＭカードに対応するＳＩＭテーブル１２８にあるエントリに含まれる情報のすべてまたは一部を含んでもよい。
【００２２】
ＳＩＭシンクデバイス１６０は、ＳＩＭカード１３０のうちの、受信した特定のＳＩＭカードの識別情報を用いてリモートＳＩＭを登録してもよい。たとえば、通信モジュール１２７は、ＳＩＭテーブル１２９にエントリを作成してもよい。いくつかの例では、通信モジュール１２７は、ＳＩＭテーブル１２９にあるリモートＳＩＭについてエントリを、確保したスロットインデックス（すなわち、リモートＳＩＭ用に確保されたスロットインデックス）を用いて作成してもよい。このように、通信モジュール１２７は、アプリケーション１２５がＳＩＭシンクデバイス１６０のローカルＳＩＭであるかのように使用できるリモートＳＩＭを登録する。
【００２３】
ＳＩＭシンクデバイス１６０は、リモートＳＩＭを利用して通信を行ってもよい。たとえば、アプリケーション１２５のメッセージングアプリケーションは、ＳＩＭソースデバイスのローカルＳＩＭを使用してＳＩＭソースデバイスで動作するアプリケーション１２４のうちのＳＭＳアプリケーションが出力するＳＭＳメッセージと受信側が区別がつかないＳＭＳメッセージを出力してもよい。いくつかの例では、ＳＩＭシンクデバイス１６０は、通信部１４３のセルラー無線ハードウェアを介してリモートＳＩＭを利用して通信を行ってもよい。たとえば、ＳＩＭシンクデバイス１６０で動作するアプリケーション１２５のうちのＳＭＳアプリケーションは、通信部１４３のセルラーハードウェアに、ＳＭＳメッセージを（たとえば、セルタワーまたはその他の基地局に）送信させてもよい。いくつかの例では、ＳＩＭシンクデバイス１６０は、ＳＩＭソースデバイスのセルラー無線ハードウェア１１０を介してリモートＳＩＭを利用して通信を行ってもよい。たとえば、ＳＩＭシンクデバイス１６０で動作するアプリケーション１２５のうちのＳＭＳアプリケーションは、通信部１４２のセルラーハードウェアがＳＭＳメッセージを（たとえば、セルタワーまたはその他の基地局に）送信するよう、ネットワーク１５０（たとえば、Ｂｌｕｅｔｏｏｔｈリンクを介して）を介してＳＩＭソースデバイス１１０にＳＭＳメッセージを送信してもよい。
【００２４】
本開示の全体にわたって、コンピューティングデバイスおよび／またはコンピュータシステムが、コンピューティングデバイスに関連付けられた情報（たとえば、電子メール、その他の通信など）コンピューティングデバイスのユーザを、当該情報を解析するための明示的な許可をコンピューティングデバイスのユーザからコンピューティングデバイスおよび／またはコンピュータシステムが受信した場合にのみ解析し得る例を記載する。たとえば、コンピューティングデバイスおよび／またはコンピュータシステムが、ユーザおよびコンピューティングデバイスに関連付けられた通信情報を収集することができるまたは利用することができる後述の状況において、コンピューティングデバイスおよび／またはコンピュータシステムのプログラムまたは機能が、ユーザ情報（たとえば、ユーザの電子メール、ユーザのソーシャルネットワーク、社会的行為または活動、職業、ユーザの好み、またはユーザの過去および現在位置についての情報）を収集または利用できるかどうかを制御するための入力、またはコンピューティングデバイスおよび／またはコンピュータシステムがユーザに関係がある可能性のあるコンテンツを受信できるかどうかおよび／またはどのように受信するかを決定するための入力を行う機会がユーザに与えられ得る。これに加えて、特定のデータは、コンピューティングデバイスおよび／またはコンピュータシステムによって格納または使用される前に、個人を特定可能な情報が取り除かれるように１つ以上の方法で処理することができる。たとえば、ユーザについての個人を特定可能な情報が判定できないようにユーザの識別情報を処理したり、ユーザの特定の位置が判定できないように位置情報（市、郵便番号、または州レベルなど）が取得されるユーザの地理的位置を一般化したりしてもよい。したがって、ユーザは、コンピューティングデバイスおよび／またはコンピュータシステムによってユーザの情報がどのように収集され使用されるかについて制御することができる。
【００２５】
図２は、本開示の１つ以上の態様に係る、リモートＳＩＭの作成ができるように構成された例示的なＳＩＭソースデバイスを示すブロック図である。図２のＳＩＭソースデバイス２１０を、図１のＳＩＭソースデバイス１１０の例として以下に説明する。図２は、ＳＩＭソースデバイス２１０の一例を示すのみであり、ＳＩＭソースデバイス２１０の多くの例がその他の場合において用いられてもよい。ＳＩＭソースデバイス２１０は、図２に含まれるコンポーネントのサブセットを備えてもよく、図２に示されていない追加コンポーネントを備えてもよい。
【００２６】
図２の例に示すように、ＳＩＭソースデバイス２１０は、ＵＩＣ２１２と、１つ以上のプロセッサ２４０と、１つ以上の通信部２４２と、１つ以上の入力コンポーネント２４４と、１つ以上の出力コンポーネント２４６と、ＳＩＭカード２３０と、１つ以上のストレージコンポーネント２４８とを備える。ＵＩＣ２１２は、ディスプレイコンポーネント２０２と存在感知入力コンポーネント２０４とを備える。ＳＩＭソースデバイス２１０のストレージコンポーネント２４８は、ＵＩモジュール２２０と、アプリケーションモジュール２２４と、通信モジュール２２６とを含む。
【００２７】
通信路２５０は、（物理的に、通信可能に、および／または動作可能に）コンポーネント間通信を行うために、コンポーネント２１２、２３０、２４０、２４２、２４４、２４６、および２４８の各々を相互接続してもよい。いくつかの例では、通信路２５０は、システムバス、ネットワーク接続、プロセス間通信データ構造、またはその他のデータ通信方法を含んでもよい。
【００２８】
通信部２４２、ＳＩＭカード２３０、アプリケーション２２４、および通信モジュール２２６は、それぞれ、図１のＳＩＭソースデバイス１１０の通信部１４２、ＳＩＭカード１３０、アプリケーション１２４、および通信モジュール１２６と同様の動作を行ってもよい。
【００２９】
ＳＩＭソースデバイス２１０の１つ以上の入力コンポーネント２４４が入力を受け付けてもよい。入力として、たとえば、触覚、音声、および映像入力などがある。ＳＩＭソースデバイス２１０の入力コンポーネント２４２は、一例において、存在感知入力装置（たとえば、タッチ画面、ＵＩＤ）、マウス、キーボード、音声応答装置、ビデオカメラ、マイクロフォン、または、人もしくは機械からの入力を検出するためのその他の種類のデバイスを含む。いくつかの例では、入力コンポーネント２４２は、１つ以上のセンサーコンポーネント、１つ以上の位置センサー（ＧＰＳコンポーネント、Ｗｉ−Ｆｉコンポーネント、セルラーコンポーネント）、１つ以上の温度センサー、１つ以上の移動センサー（たとえば、加速度計、ジャイロ）、１つ以上の圧力センサー（たとえば、気圧計）、１つ以上の周辺光センサー、および１つ以上のその他のセンサー（たとえば、マイクロフォン、カメラ、赤外線近接センサー、湿度計など）を含んでもよい。その他のセンサーは、非限定例の一部を挙げると、心拍センサー、磁力計、グルコースセンサ、湿度計センサー、嗅覚センサー、コンパスセンサ、歩数計センサーを含んでもよい。
【００３０】
ＳＩＭソースデバイス２１０の１つ以上の出力コンポーネント２４６は、出力を生成してもよい。出力として、たとえば、触覚、音声、および映像出力などがある。ＳＩＭソースデバイス２１０の出力コンポーネント２４６は、一例において、ＵＩＤ、サウンドカード、ビデオグラフィックスアダプターカード、スピーカ、ブラウン管（ＣＲＴ）モニタ、液晶ディスプレイ（ＬＣＤ）、または人もしくは機械への出力を生成するためのその他の種類の機器を含む。
【００３１】
ＳＩＭソースデバイスのＵＩＣ２１２は、ＳＩＭソースデバイス１１０のＵＩＣ１１２と同様であってもよく、ディスプレイコンポーネント２０２と存在感知入力コンポーネント２０４とを含む。ディスプレイコンポーネント２０２は、ＵＩＣ２１２によって情報が表示される画面であってもよく、存在感知入力コンポーネント２０４は、ディスプレイコンポーネント２０２におけるオブジェクトおよび／またはディスプレイコンポーネント２０２の近くのオブジェクトを検出してもよい。１つの例示的な範囲として、存在感知入力コンポーネント２０４は、ディスプレイコンポーネント２０２から２インチ以内に存在する指またはスタイラスなどのオブジェクトを検出してもよい。存在感知入力コンポーネント２０４は、オブジェクトが検出されたディスプレイコンポーネント２０２の位置（たとえば、［ｘ，ｙ］座標）を特定してもよい。別の例示的な範囲において、存在感知入力コンポーネント２０４は、ディスプレイコンポーネント２０２から６インチ以内のオブジェクトを検出してもよく、その他の範囲も可能である。存在感知入力コンポーネント２０４は、静電容量式、誘導式、および／または光学式認識技術を利用して、ユーザの指によって選択されたディスプレイコンポーネント２０２の位置を特定してもよい。いくつかの例では、存在感知入力コンポーネント２０４は、ディスプレイコンポーネント２０２に関して説明した触覚、音声、または映像刺激を利用してユーザに出力を行ってもよい。
【００３２】
また、ＵＩＣ２１２は、ＳＩＭソースデバイス２１０の内蔵コンポーネントとして例示されているが、入力および出力を送信および／または受信するためにＳＩＭソースデバイス２１０とデータ経路を共有する外部コンポーネントを表してもよい。たとえば、一例において、ＵＩＣ２１２は、ＳＩＭソースデバイス２１０の外装内に位置し、当該外装に物理的に接続されたＳＩＭソースデバイス２１０の内蔵コンポーネント（たとえば、携帯電話の画面）を表す。別の例では、ＵＩＣ２１２は、ＳＩＭソースデバイス２１０の外装または筐体の外側に位置し、当該外装または筐体から物理的に離れたＳＩＭソースデバイス２１０の外部コンポーネント（たとえば、有線および／またはワイヤレスデータ経路をＳＩＭソースデバイス２１０と共有するモニタ、プロジェクタなど）を表す。
【００３３】
ＳＩＭソースデバイス２１０のＵＩＣ２１２は、２次元および／または３次元ジェスチャを、ＳＩＭソースデバイス２１０のユーザからの入力として検出してもよい。たとえば、ＵＩＣ２１２のセンサーは、ＵＩＣ２１２のセンサーの閾値距離内のユーザの動き（たとえば、手、腕、ペン、スタイラスなどを動かす）を検出してもよい。ＵＩＣ２１２は、動きの２次元または３次元ベクトル表現を判定し、当該ベクトル表現を、多次元を有するジェスチャ入力（たとえば、手を振る、ピンチ、拍手、ペンストロークなど）と関係付けてもよい。つまり、ＵＩＣ２１２は、ＵＩＣ２１２が表示のための情報を出力する画面または表面においてまたはその近くでユーザにジェスチャをさせることなく、多次元ジェスチャを検出できる。それどころか、ＵＩＣ２１２は、センサーの近くで行われた多次元ジェスチャを検出でき、当該センサーは、ＵＩＣ２１２が情報を出力して表示する画面または表面の近くに配置されていてもよいし、されていなくてもよい。
【００３４】
１つ以上のプロセッサ２４０は、機能を実施してもよく、および／またはＳＩＭソースデバイス２１０に関連する命令を実行してもよい。プロセッサ２４０として、アプリケーションプロセッサ、ディスプレイコントローラ、補助プロセッサ、１つ以上のセンサーハブ、およびプロセッサ、演算処理部、または処理装置として機能するように構成されたその他のハードウェアなどが挙げられる。
【００３５】
モジュール２２０、２２２、および２２４は、ＳＩＭソースデバイス２１０の様々な操作、動作、または機能を実行するようにプロセッサ２４０によって操作可能であってもよい。たとえば、ＳＩＭソースデバイス２１０のプロセッサ２４０は、モジュール２２０、２２２、２２４、２２６、および２２８の動作をプロセッサ２４０に実行させる、ストレージコンポーネント２４８に格納された命令を読み出して実行してもよい。この命令は、プロセッサ２４０によって実行されると、ＳＩＭソースデバイス２１０に、情報をストレージコンポーネント２４８内に格納させてもよい。
【００３６】
ＳＩＭソースデバイス２１０内の１つ以上のストレージコンポーネント２４８は、ＳＩＭソースデバイス２１０の動作中に処理用の情報を格納してもよい（たとえば、ＳＩＭソースデバイス２１０は、ＳＩＭソースデバイス２１０で実行中にモジュール２２０、２２４、および２２６によってアクセスされるデータを格納してもよい。）。いくつかの例では、ストレージコンポーネント２４８は、一時メモリであり、ストレージコンポーネント２４８の主な目的は長期記憶ではないことを意味する。ＳＩＭソースデバイス２１０上のストレージコンポーネント２４８は、揮発性メモリとして情報を短期記憶するために構成されてもよいため、電源がオフになると、格納されたコンテンツを保持しない。揮発性メモリとして、ＲＡＭ（Ｒａｎｄｏｍ  Ａｃｃｅｓｓ  Ｍｅｍｏｒｙ）、ＤＲＡＭ（Ｄｙｎａｍｉｃ  Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓｍｅｍｏｒｙ）、および、当技術分野で周知のその他の形態の揮発性メモリなどが挙げられる。
【００３７】
また、いくつかの例では、ストレージコンポーネント２４８は、１つ以上のコンピュータ読み取り可能な記憶媒体を含む。いくつかの例では、ストレージコンポーネント２４８は、１つ以上の非一時的なコンピュータ読み取り可能な記憶媒体を含む。ストレージコンポーネント２４８は、揮発性メモリに通常格納されるよりも多くの量の情報を格納するように構成されてもよい。ストレージコンポーネント２４８は、さらに、不揮発性メモリ空間として、情報を長期記憶するために構成され、電源のオン／オフ周期後に情報を保存してもよい。不揮発性メモリとして、たとえば、磁気ハードディスク、光ディスク、フロッピー（登録商標）ディスク、フラッシュメモリ、またはＥＰＲＯＭ（Ｅｌｅｃｔｒｉｃａｌｌｙ  Ｐｒｏｇｒａｍｍａｂｌｅ  Ｍｅｍｏｒｙ）もしくはＥＥＰＲＯＭ（Ｅｌｅｃｔｒｉｃａｌｌｙ  Ｅｒａｓａｂｌｅ  Ａｎｄ  Ｐｒｏｇｒａｍｍａｂｌｅ  Ｍｅｍｏｒｙ）の形などがある。ストレージコンポーネント２４８は、モジュール２２０、２２４、および２２６に関連するプログラム命令および／または情報（たとえば、データ）を格納してもよい。ストレージコンポーネント２４８は、モジュール２２０、２２４、および２２６に関連するデータまたはその他の情報を格納するように構成されたメモリを備えてもよい。
【００３８】
本開示の１つ以上の技術によると、ＳＩＭソースデバイス２１０は、ＳＩＭカード２３０のＳＩＭをミラーリングしたまたは当該ＳＩＭに対応するリモートＳＩＭをその他のデバイスが作成することを可能にしてもよい。たとえば、ＳＩＭソースデバイス２１０は、ＳＩＭカード２３０のＳＩＭに対応する識別情報を用いてＳＩＭシンクデバイスがリモートＳＩＭを登録できるようにするデータ（たとえば、識別情報）をＳＩＭシンクデバイス（たとえば、図１のＳＩＭシンクデバイス１６０）に出力してもよい。いくつかの例では、次に、ＳＩＭソースデバイス２１０は、ＳＩＭシンクデバイスとセルラーネットワーククとの間でデータを中継してもよい。このように、ＳＩＭソースデバイス２１０は、ＳＩＭシンクデバイスが、ＳＩＭソースデバイス２１０にローカルなＳＩＭカードを利用してセルラーネットワークで通信することを可能にすることができる。
【００３９】
図３は、本開示の１つ以上の態様に係る、リモートＳＩＭを利用するように構成された例示的なＳＩＭシンクデバイスを示すブロック図である。図３のＳＩＭシンクデバイス３６０を、図１のＳＩＭシンクデバイス１６０の例として以下に説明する。図３は、ＳＩＭシンクデバイス３６０の一例を示すのみであり、ＳＩＭシンクデバイス３６０の多くの例がその他の場合において用いられてもよい。ＳＩＭシンクデバイス３６０は、図３に含まれるコンポーネントのサブセットを備えてもよく、図３に示されていない追加コンポーネントを備えてもよい。
【００４０】
図２の例に示すように、ＳＩＭシンクデバイス３６０は、ＵＩＣ３１３と、１つ以上のプロセッサ３４１と、１つ以上の通信部３４３と、１つ以上の入力コンポーネント３４５と、１つ以上の出力コンポーネント３４７と、１つ以上のストレージコンポーネント３４９とを備える。ＵＩＣ３１３は、ディスプレイコンポーネント３０３と存在感知入力コンポーネント３０５とを備える。ＳＩＭシンクデバイス３６０のストレージコンポーネント３４９は、ＵＩモジュール３２１と、アプリケーションモジュール３２５と、通信モジュール３２７とを含む。
【００４１】
通信路３５１は、（物理的に、通信可能に、および／または動作可能に）コンポーネント間通信を行うために、コンポーネント３１３、３４１、３４３、３４５、３４７、および３４９の各々を相互接続してもよい。いくつかの例では、通信路３５１は、システムバス、ネットワーク接続、プロセス間通信データ構造、またはその他のデータ通信方法を含んでもよい。
【００４２】
通信部３４３、アプリケーション３２５、および通信モジュール３２７は、それぞれ、図１のＳＩＭシンクデバイス３６０の通信部１４３、アプリケーション１２５、および通信モジュール１２７と同様の動作を行ってもよい。
【００４３】
ＳＩＭシンクデバイス３６０の１つ以上の入力コンポーネント３４５が入力を受け付けてもよい。入力として、たとえば、触覚、音声、および映像入力などがある。ＳＩＭシンクデバイス３６０の入力コンポーネント３４３は、一例において、存在感知入力装置（たとえば、タッチ画面、ＵＩＤ）、マウス、キーボード、音声応答装置、ビデオカメラ、マイクロフォン、または、人もしくは機械からの入力を検出するためのその他の種類のデバイスを含む。いくつかの例では、入力コンポーネント３４３は、１つ以上のセンサーコンポーネント、１つ以上の位置センサー（ＧＰＳコンポーネント、Ｗｉ−Ｆｉコンポーネント、セルラーコンポーネント）、１つ以上の温度センサー、１つ以上の移動センサー（たとえば、加速度計、ジャイロ）、１つ以上の圧力センサー（たとえば、気圧計）、１つ以上の周辺光センサー、および１つ以上のその他のセンサー（たとえば、マイクロフォン、カメラ、赤外線近接センサー、湿度計など）を含んでもよい。その他のセンサーは、非限定例の一部を挙げると、心拍センサー、磁力計、グルコースセンサ、湿度計センサー、嗅覚センサー、コンパスセンサ、歩数計センサーを含んでもよい。
【００４４】
ＳＩＭシンクデバイス３６０の１つ以上の出力コンポーネント３４７は、出力を生成してもよい。出力として、たとえば、触覚、音声、および映像出力などがある。ＳＩＭシンクデバイス３６０の出力コンポーネント３４７は、一例において、ＵＩＤ、サウンドカード、ビデオグラフィックスアダプターカード、スピーカ、ブラウン管（ＣＲＴ）モニタ、液晶ディスプレイ（ＬＣＤ）、または人もしくは機械への出力を生成するためのその他の種類の機器を含む。
【００４５】
ＳＩＭシンクデバイス３６０のＵＩＣ３１３は、ＳＩＭシンクデバイス１６０のＵＩＣ１１２と同様であってもよく、ディスプレイコンポーネント３０３と存在感知入力コンポーネント３０５とを含む。ディスプレイコンポーネント３０３は、ＵＩＣ３１３によって情報が表示される画面であってもよく、存在感知入力コンポーネント３０５は、ディスプレイコンポーネント３０３におけるオブジェクトおよび／またはディスプレイコンポーネント３０３の近くのオブジェクトを検出してもよい。１つの例示的な範囲として、存在感知入力コンポーネント３０５は、ディスプレイコンポーネント３０３から２インチ以内に存在する指またはスタイラスなどのオブジェクトを検出してもよい。存在感知入力コンポーネント３０５は、オブジェクトが検出されたディスプレイコンポーネント３０３の位置（たとえば、［ｘ，ｙ］座標）を特定してもよい。別の例示的な範囲において、存在感知入力コンポーネント３０５は、ディスプレイコンポーネント３０３から６インチ以内のオブジェクトを検出してもよく、その他の範囲も可能である。存在感知入力コンポーネント３０５は、静電容量式、誘導式、および／または光学式認識技術を利用して、ユーザの指によって選択されたディスプレイコンポーネント３０３の位置を特定してもよい。いくつかの例では、存在感知入力コンポーネント３０５は、ディスプレイコンポーネント３０３に関して説明した触覚、音声、または映像刺激を利用してユーザに出力を行ってもよい。
【００４６】
また、ＵＩＣ３１３は、ＳＩＭシンクデバイス３６０の内蔵コンポーネントとして例示されているが、入力および出力を送信および／または受信するためにＳＩＭシンクデバイス３６０とデータ経路を共有する外部コンポーネントを表してもよい。たとえば、一例において、ＵＩＣ３１３は、ＳＩＭシンクデバイス３６０の外装内に位置し、当該外装に物理的に接続されたＳＩＭシンクデバイス３６０の内蔵コンポーネント（たとえば、携帯電話の画面）を表す。別の例では、ＵＩＣ３１３は、ＳＩＭシンクデバイス３６０の外装または筐体の外側に位置し、当該外装または筐体から物理的に離れたＳＩＭシンクデバイス３６０の外部コンポーネント（たとえば、有線および／またはワイヤレスデータ経路をＳＩＭシンクデバイス３６０と共有するモニタ、プロジェクタなど）を表す。
【００４７】
ＳＩＭシンクデバイス３６０のＵＩＣ３１３は、２次元および／または３次元ジェスチャを、ＳＩＭシンクデバイス３６０のユーザからの入力として検出してもよい。たとえば、ＵＩＣ３１３のセンサーは、ＵＩＣ３１３のセンサーの閾値距離内のユーザの動き（たとえば、手、腕、ペン、スタイラスなどを動かす）を検出してもよい。ＵＩＣ３１３は、動きの２次元または３次元ベクトル表現を判定し、当該ベクトル表現を、多次元を有するジェスチャ入力（たとえば、手を振る、ピンチ、拍手、ペンストロークなど）と関係付けてもよい。つまり、ＵＩＣ３１３は、ＵＩＣ３１３が表示のための情報を出力する画面または表面においてまたはその近くでユーザにジェスチャをさせることなく、多次元ジェスチャを検出できる。それどころか、ＵＩＣ３１３は、センサーの近くで行われた多次元ジェスチャを検出でき、当該センサーは、ＵＩＣ３１３が情報を出力して表示する画面または表面の近くに配置されていてもよいし、されていなくてもよい。
【００４８】
１つ以上のプロセッサ３４１は、機能を実施してもよく、および／またはＳＩＭシンクデバイス３６０に関連する命令を実行してもよい。プロセッサ３４１として、アプリケーションプロセッサ、ディスプレイコントローラ、補助プロセッサ、１つ以上のセンサーハブ、およびプロセッサ、演算処理部、または処理装置として機能するように構成されたその他のハードウェアなどが挙げられる。
【００４９】
モジュール３２１、３２５、および３２７は、ＳＩＭシンクデバイス３６０の様々な操作、動作、または機能実行するようにプロセッサ３４１によって操作可能であってもよい。たとえば、ＳＩＭシンクデバイス３６０のプロセッサ３４１は、モジュール３２１、３２５、および３２７の動作をプロセッサ３４１に実行させる、ストレージコンポーネント３４９によって格納された命令を読み出して実行してもよい。この命令は、プロセッサ３４１によって実行されると、ＳＩＭシンクデバイス３６０に、情報をストレージコンポーネント３４９内に格納させてもよい。
【００５０】
ＳＩＭシンクデバイス３６０内の１つ以上のストレージコンポーネント３４９は、ＳＩＭシンクデバイス３６０の動作中に処理用の情報を格納してもよい（たとえば、ＳＩＭシンクデバイス３６０は、ＳＩＭシンクデバイス３６０で実行中にモジュール３２１、３２５、および３２７によってアクセスされるデータを格納してもよい。）。いくつかの例では、ストレージコンポーネント３４９は、一時メモリであり、ストレージコンポーネント３４９の主な目的は長期記憶ではないことを意味する。ＳＩＭシンクデバイス３６０上のストレージコンポーネント３４９は、揮発性メモリとして情報を短期記憶するために構成されてもよいため、電源がオフになると、格納されたコンテンツを保持しない。揮発性メモリとして、ＲＡＭ（Ｒａｎｄｏｍ  Ａｃｃｅｓｓ  Ｍｅｍｏｒｙ）、ＤＲＡＭ（Ｄｙｎａｍｉｃ  Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓｍｅｍｏｒｙ）、および、当技術分野で周知のその他の形態の揮発性メモリなどが挙げられる。
【００５１】
また、いくつかの例では、ストレージコンポーネント３４９は、１つ以上のコンピュータ読み取り可能な記憶媒体を含む。いくつかの例では、ストレージコンポーネント３４９は、１つ以上の非一時的なコンピュータ読み取り可能な記憶媒体を含む。ストレージコンポーネント３４９は、揮発性メモリに通常格納されるよりも多くの量の情報を格納するように構成されてもよい。ストレージコンポーネント３４９は、さらに、不揮発性メモリ空間として、情報を長期記憶するために構成され、電源のオン／オフ周期後に情報を保存してもよい。不揮発性メモリとして、たとえば、磁気ハードディスク、光ディスク、フロッピー（登録商標）ディスク、フラッシュメモリ、またはＥＰＲＯＭ（Ｅｌｅｃｔｒｉｃａｌｌｙ  Ｐｒｏｇｒａｍｍａｂｌｅ  Ｍｅｍｏｒｙ）もしくはＥＥＰＲＯＭ（Ｅｌｅｃｔｒｉｃａｌｌｙ  Ｅｒａｓａｂｌｅ  Ａｎｄ  Ｐｒｏｇｒａｍｍａｂｌｅ  Ｍｅｍｏｒｙ）の形などがある。ストレージコンポーネント３４９は、モジュール３２１、３２５、および３２７に関連するプログラム命令および／または情報（たとえば、データ）と、ＳＩＭテーブル３２９とを格納してもよい。ストレージコンポーネント３４９は、モジュール３２１、３２５、および３２７に関連するデータまたはその他の情報と、ＳＩＭテーブル３２９とを格納するように構成されたメモリを備えてもよい。
【００５２】
本開示の１つ以上の技術によると、ＳＩＭシンクデバイス３６０は、リモートデバイスのＳＩＭをミラーリングしたまたは当該ＳＩＭに対応するリモートＳＩＭを作成してもよい。たとえば、ＳＩＭシンクデバイス３６０は、リモートデバイスのＳＩＭカードに対応する識別情報を用いてＳＩＭシンクデバイス３６０がリモートＳＩＭを登録できるようにするデータ（たとえば、識別情報）をＳＩＭソースデバイス（たとえば、図１のＳＩＭソースデバイス１１０）から受信してもよい。いくつかの例では、次に、ＳＩＭシンクデバイス３６０は、ＳＩＭソースデバイスを利用して、ＳＩＭシンクデバイス３６０とセルラーネットワークとの間でデータを中継してもよい。このように、セルラーネットワーク用のローカルＳＩＭを有さないで、かつ、セルラーネットワークと通信可能な送受信機を備えなくても、ＳＩＭシンクデバイス３６０はセルラーネットワークと通信を行うことができる。
【００５３】
図４は、本開示の１つ以上の態様に係る、ＳＩＭソースデバイスによって行われる、リモートＳＩＭの利用を可能にするための動作例を示すフローチャートである。図４について、図１のシステム１００を背景に説明する。図４の動作４０２〜４０８は、任意の順序で実行されてもよく、図４に示される動作よりも多い数の動作を含んでもよく、少ない数の動作を含んでもよい。
【００５４】
本開示の技術によると、ＳＩＭソースデバイス１１０は、ＳＩＭシンクデバイスとの接続を確立してもよい（４０２）。たとえば、ＳＩＭソースデバイス１１０は、図１のＳＩＭシンクデバイス１６０とワイヤレス（たとえば、Ｂｌｕｅｔｏｏｔｈ）リンクを確立してもよい。
【００５５】
ＳＩＭソースデバイス１１０は、ＳＩＭソースデバイス１１０のローカルＳＩＭに対応する識別情報をＳＩＭシンクデバイスに提供してもよい（４０４）。たとえば、ＳＩＭソースデバイス１１０の通信モジュール１２６は、確立されたＳＩＭシンクデバイスとの接続を介してＳＩＭカード１３０のＳＩＭに対応する識別情報を通信部１４２のうちの１つの通信部に送信させてもよい。
【００５６】
ＳＩＭソースデバイス１１０は、ローカルなセルラートランシーバを用いて、セルラーネットワークとＳＩＭシンクデバイスとの間でデータを中継してもよい（４０６）。たとえば、ＳＩＭシンクデバイスは、提供された識別情報を使ってリモートＳＩＭカードを登録し、データをＳＩＭソースデバイス１１０に出力してもよい。次に、ＳＩＭソースデバイス１１０は、通信部１４２のセルラートランシーバを使って、当該データをセルラーネットワークに送信し、ＳＩＭシンクデバイスが外部デバイスと通信を行うことを可能にする。
【００５７】
ＳＩＭソースデバイス１１０は、ＳＩＭシンクデバイスとの接続を解除してもよい（４０８）。たとえば、ＳＩＭソースデバイス１１０は、ＳＩＭシンクデバイスとの間のＢｌｕｅｔｏｏｔｈリンクを解除してもよい。
【００５８】
図５は、本開示の１つ以上の態様に係る、ＳＩＭシンクデバイスによって行われる、リモートＳＩＭを利用するための動作例を示すフローチャートである。図５について、図１のシステム１００を背景に説明する。図５の動作５０２〜５１２は、任意の順序で実行されてもよく、図５に示される動作よりも多い数の動作を含んでもよく、少ない数の動作を含んでもよい。
【００５９】
本開示の技術によると、ＳＩＭシンクデバイス１６０は、ＳＩＭソースデバイスとの接続を確立してもよい（５０２）。たとえば、ＳＩＭシンクデバイス１６０は、図１のＳＩＭソースデバイス１１０とワイヤレス（たとえば、Ｂｌｕｅｔｏｏｔｈ）リンクを確立してもよい。
【００６０】
ＳＩＭシンクデバイス１６０は、ＳＩＭソースデバイスのローカルＳＩＭに対応する識別情報をＳＩＭソースデバイスから受信してもよい（５０４）。たとえば、ＳＩＭシンクデバイス１６０の通信モジュール１２７は、確立されたＳＩＭソースデバイスとの接続を介してＳＩＭソースデバイスのローカルＳＩＭに対応する識別情報を受信してもよい。
【００６１】
ＳＩＭシンクデバイス１６０は、ＳＩＭソースデバイスのＳＩＭに対応する識別情報を用いてリモートＳＩＭを登録してもよい（５０６）。たとえば、ＳＩＭシンクデバイス１６０の通信モジュール１２７は、通信モジュール１２７が保持するＳＩＭのテーブルにあるリモートＳＩＭのサブスクリプションを追加してもよい。いくつかの例では、ＳＩＭシンクデバイス１６０は、複数のリモートＳＩＭを登録してもよく、リモートＳＩＭは、各々、ＳＩＭソースデバイスのそれぞれのＳＩＭに対応する識別情報に対応する。
【００６２】
いくつかの例では、リモートＳＩＭの作成および／またはＳＩＭソースデバイスとの接続の確立の一部として、ＳＩＭシンクデバイス１６０は、ＳＩＭソースデバイスから１つ以上の電話通信記録を受信してもよい。電話通信記録として、連絡先リスト、メッセージログ、および通話記録などが挙げられるが、これらに限定されない。
【００６３】
ＳＩＭシンクデバイス１６０は、リモートＳＩＭを使用し、ＳＩＭソースデバイスのセルラートランシーバを介して外部デバイスと通信してもよい（５０８）。たとえば、ＳＩＭシンクデバイス１６０で動作するアプリケーション１２５のうちの１つのアプリケーションが、通信モジュール１２７に、特定のＳＩＭを利用してデータ（たとえば、ＳＭＳメッセージ）を出力させてもよい。通信モジュール１２７は、ＳＩＭのテーブルに含まれる情報に基づいて、当該特定のＳＩＭが登録されているリモートＳＩＭであると判断してもよい。この解除に応答して、通信モジュール１２７は、リモートＳＩＭを利用した通信がＳＩＭソースデバイスを介して実現されたと判断し、アプリケーションが出力したデータを、ＳＩＭソースデバイスのセルラートランシーバを利用してセルラーネットワークに再送信するためにＳＩＭソースデバイスに転送してもよい。上述したように、いくつかの例では、通信モジュール１２７は、ＳＩＭシンクデバイス１６０のオペレーティングシステム層に含まれてもよい。このように、ＳＩＭシンクデバイス１６０で動作するアプリケーションは、通信モジュール１２７がＳＩＭのテーブルにある、たまたまリモートＳＩＭであるＳＩＭを利用して通信を行うように要求することによってリモートＳＩＭを利用して通信を行うとみなされてもよい。このように、ＳＩＭシンクデバイス１６０で動作するアプリケーションは、ＳＩＭがリモートＳＩＭであるかローカルＳＩＭであるかを実際に「わかる」ことなく、リモートＳＩＭを利用して通信を行ってもよい。
【００６４】
ＳＩＭシンクデバイス１６０は、ＳＩＭソースデバイスとの接続を解除してもよい（５１０）。たとえば、ＳＩＭソースデバイスがＳＩＭシンクデバイス１６０とのＢｌｕｅｔｏｏｔｈリンクを解除してもよく、および／または、ＳＩＭシンクデバイス１６０がＳＩＭソースデバイスとのＢｌｕｅｔｏｏｔｈリンクを解除してもよい。
【００６５】
接続が解除されたことに応答して、ＳＩＭシンクデバイス１６０は、データを削除してもよい（５１２）。一例として、ＳＩＭシンクデバイス１６０は、リモートＳＩＭの登録を解除してもよい。たとえば、通信モジュール１２７は、当該リモートＳＩＭをＳＩＭのテーブルから削除してもよい。別の例として、通信モジュール１２７は、ＳＩＭソースデバイスから受信した電話通信記録を削除してもよい。このように、接続を解除すると、ＳＩＭシンクデバイス１６０は、ＳＩＭソースデバイスから受信したすべての個人情報を削除してもよい。
【００６６】
下記の番号が振られた例は、本開示の１つ以上の態様を示し得る。
１．シンクデバイスによってソースデバイスから、前記シンクデバイスと前記ソースデバイスとの接続を介して前記ソースデバイスの加入者情報モジュール（ＳＩＭ：Ｓｕｂｓｃｒｉｂｅｒ  Ｉｎｆｏｒｍａｔｉｏｎ  Ｍｏｄｕｌｅ）に対応する識別情報を受信するステップと、前記シンクデバイスにおいて、前記ソースデバイスのＳＩＭに対応する前記識別情報を用いてリモートＳＩＭを登録するステップと、前記シンクデバイスのアプリケーションによって前記リモートＳＩＭを利用して、前記ソースデバイスのセルラー無線トランシーバを介して外部デバイスと通信を行うステップとを含む、方法。
【００６７】
２．前記シンクデバイスと前記ソースデバイスとの前記接続の解除に応答して、前記シンクデバイスにおいて前記リモートＳＩＭの登録を解除するステップをさらに含む、請求項１に記載の方法。
【００６８】
３．前記シンクデバイスによって前記ソースデバイスから電話通信記録を受信するステップをさらに含む、請求項１〜２のいずれか１項に記載の方法。
【００６９】
４．前記電話通信記録は、連絡先リスト、メッセージログ、および通話記録のうちの１つ以上を含む、請求項３に記載の方法。
【００７０】
５．前記シンクデバイスと前記ソースデバイスとの前記接続の解除に応答して、前記シンクデバイスにおいて前記リモートＳＩＭの登録を解除し、かつ、前記受信した電話通信記録を削除するステップをさらに含む、請求項１〜４のいずれか１項に記載の方法。
【００７１】
６．通信を行うステップは、前記シンクデバイスによってリモートＳＩＭを利用してテキストメッセージを送るステップを含む、請求項１〜５のいずれか１項に記載の方法。
【００７２】
７．前記シンクデバイスと前記ソースデバイスとの前記接続は、ワイヤレス接続を含み、前記外部デバイスと通信を行うステップは、前記ソースデバイスのセルラー無線トランシーバを介して送信されるデータを、前記ワイヤレス接続を介して前記シンクデバイスによって前記ソースデバイスに出力するステップを含む、請求項１〜６のいずれか１項に記載の方法。
【００７３】
８．前記ワイヤレス接続は、Ｂｌｕｅｔｏｏｔｈリンクを含み、前記ソースデバイスの前記無線トランシーバは、セルラートランシーバを含む、請求項７に記載の方法。
【００７４】
９．前記識別情報を受信するステップは、前記ソースデバイスの複数のＳＩＭの各々についてそれぞれの識別情報を受信するステップを含み、前記リモートＳＩＭを登録するステップは、前記ソースデバイスの複数のＳＩＭの各々についてそれぞれのリモートＳＩＭを前記それぞれの識別情報を用いて登録するステップを含む、請求項１〜８のいずれか１項に記載の方法。
【００７５】
１０．前記シンクデバイスは、前記リモートＳＩＭを利用して通信可能な無線トランシーバを含まない、請求項１〜９のいずれか１項に記載の方法。
【００７６】
１１．前記シンクデバイスは、車両に含まれる、請求項１〜１０のいずれか１項に記載の方法。
【００７７】
１２．１つ以上の通信モジュールと、請求項１〜１１に記載の方法を実行するように構成された少なくとも１つのプロセッサとを備える、シンクデバイス。
【００７８】
１３．命令を含むコンピュータ読み取り可能な記憶媒体であって、前記命令は、シンクデバイスの少なくとも１つのプロセッサによって実行されると、前記少なくとも１つのプロセッサに、請求項１〜１１に記載の方法を実行させる、コンピュータ読み取り可能な記憶媒体。
【００７９】
１４．ソースデバイスによってシンクデバイスに、前記シンクデバイスと前記ソースデバイスとの接続を介して前記ソースデバイスの加入者情報モジュール（ＳＩＭ）に対応する識別情報を出力するステップと、前記ソースデバイスによって前記ソースデバイスのセルラー無線トランシーバを利用して、セルラーネットワークと前記シンクデバイスとの間でデータを中継するステップとを含み、前記中継されたデータは、前記ソースデバイスのＳＩＭに対応する前記識別情報を用いて前記シンクデバイスで登録されるリモートＳＩＭに対応する、方法。
【００８０】
１５．前記ソースデバイスによって前記シンクデバイスに電話通信記録を出力するステップをさらに含む、請求項１４に記載の方法。
【００８１】
１６．前記シンクデバイスと前記ソースデバイスとの前記接続は、ワイヤレス接続を含み、前記データを中継するステップは、前記ソースデバイスによって前記シンクデバイスから、前記ワイヤレス接続を介してデータを受信するするステップと、前記ソースデバイスのセルラー無線トランシーバを使用して前記データを前記セルラーネットワークに送信するステップとを含む、請求項１４〜１５のいずれか１項に記載の方法。
【００８２】
１７．前記ワイヤレス接続は、Ｂｌｕｅｔｏｏｔｈリンクを含む、請求項１６に記載の方法。
【００８３】
１８．前記識別情報を出力するステップは、前記ソースデバイスの複数のＳＩＭの各々についてそれぞれの識別情報を出力するステップを含む、請求項１４〜１７のいずれか１項に記載の方法。
【００８４】
１９．１つ以上の通信モジュールと、請求項１４〜１８に記載の方法を実行するように構成された少なくとも１つのプロセッサとを備える、ソースデバイス。
【００８５】
２０．命令を含むコンピュータ読み取り可能な記憶媒体であって、前記命令は、ソースデバイスの少なくとも１つのプロセッサによって実行されると、前記少なくとも１つのプロセッサに、請求項１４〜１８に記載の方法を実行させる、コンピュータ読み取り可能な記憶媒体。
【００８６】
一例として、限定ではなく、コンピュータ読み取り可能な記憶媒体は、ＲＡＭ、ＲＯＭ、ＥＥＰＲＯＭ、ＣＤ−ＲＯＭ、もしくはその他の光学ディスク記憶装置、磁気ディスク記憶装置もしくはその他の磁気記憶装置、フラッシュメモリ、または所望のプログラムコードを命令もしくはデータ構造の形で格納するために使用でき、コンピュータがアクセス可能なその他の記憶媒体を含むことができる。また、任意の接続が、適切に、コンピュータ読み取り可能な媒体と称される。たとえば、同軸ケーブル、光ファイバケーブル、ツイストペア、デジタル加入者回線（ＤＳＬ）、または赤外線、無線、およびマイクロ波などのワイヤレス技術を利用して、ウェブサイト、サーバ、またはその他の離れたソースから命令が送信される場合、同軸ケーブル、光ファイバケーブル、ツイストペア、ＤＳＬ、または赤外線、無線、およびマイクロ波などのワイヤレス技術は、媒体の定義に含まれる。しかしながら、１つおよび複数のコンピュータ読み取り可能な記憶媒体ならびにデータ記憶媒体は、接続、搬送波、信号、またはその他の一時的な媒体を含まないが、その代わりに、非一時的な有形の記憶媒体を対象とすることを理解されたい。ディスク（ｄｉｓｋまたはｄｉｓｃ）は、本明細書において使用するとき、コンパクトディスク（ＣＤ：ｃｏｍｐａｃｔ  ｄｉｓｃ）、レーザーディスク（登録商標）（ｌａｓｅｒ  ｄｉｓｃ）、光ディスク（ｏｐｔｉｃａｌ  ｄｉｓｃ）、デジタル多用途ディスク（ＤＶＤ：ｄｉｇｉｔａｌ  ｖｅｒｓａｔｉｌｅ  ｄｉｓｃ）、フロッピーディスク（ｆｌｏｐｐｙ  ｄｉｓｋ）、およびブルーレイ（登録商標）ディスク（Ｂｌｕ−ｒａｙ（登録商標）  ｄｉｓｃ）を含み、ディスク（ｄｉｓｋ）は、通常、データを磁気的に再生し、ディスク（ｄｉｓｃ）は、レーザーを用いてデータを光学的に再生する。また、上記の組み合わせは、コンピュータ読み取り可能な媒体の範囲に含まれる。
【００８７】
命令は、１つ以上のデジタル信号プロセッサ（ＤＳＰ）、汎用マイクロプロセッサ、特定用途向け集積回路（ＡＳＩＣ）、フィールドプログラマブルゲートアレイ（ＦＰＧＡ）、またはその他の等価な集積または離散論理回路など、１つ以上のプロセッサによって実行されてもよい。よって、用語「プロセッサ」は、本明細書において使用するとき、前述の構造のいずれか、または本明細書に記載する技術の実装に適したその他の構造を指すとする。これに加えて、いくつかの態様において、本明細書に記載する機能は、専用のハードウェアおよび／またはソフトウェアモジュールに含めて提供されてもよい。また、技術は、１つ以上の回路または論理素子として完全に実装することができる。
【００８８】
本開示の技術は、ワイヤレス受話器、集積回路（ＩＣ）またはＩＣのセット（たとえば、チップセット）を含む、多種多様のデバイスまたは装置として実装されてもよい。様々なコンポーネント、モジュール、またはユニットは、本開示において、開示の技術を実行するように構成されたデバイスの機能面を強調するために説明されたが、互いに異なるハードウェアユニットによる実現を必ずしも必要とするわけではない。むしろ、上述したように、様々なユニットを組み合わせてハードウェアユニットにしてもよく、また、適したソフトウェアおよび／またはファームウェアとともに、上述したような１つ以上のプロセッサを含む相互動作可能なハードウェアユニットの集合によって提供してもよい。
【００８９】
様々な実施の形態を説明した。これらのおよびその他の実施の形態は、添付の特許請求の範囲に含まれる。
【図１】
2021515423.tif 000003
【図２】
2021515423.tif 000004
【図３】
2021515423.tif 000005
【図４】
2021515423.tif 000006
【図５】
2021515423.tif 000007
【手続補正書】
【提出日】令和2年9月8日(2020.9.8)
【手続補正１】
【補正対象書類名】特許請求の範囲
【補正対象項目名】全文
【補正方法】変更
【補正の内容】
【特許請求の範囲】
【請求項１】
シンクデバイスによってソースデバイスから、前記シンクデバイスと前記ソースデバイスとの接続を介して前記ソースデバイスの加入者情報モジュール（ＳＩＭ：Ｓｕｂｓｃｒｉｂｅｒ  Ｉｎｆｏｒｍａｔｉｏｎ  Ｍｏｄｕｌｅ）に対応する識別情報を受信するステップと、
前記シンクデバイスにおいて、前記ソースデバイスのＳＩＭに対応する前記識別情報を用いてリモートＳＩＭを登録するステップと、
前記シンクデバイスのアプリケーションによって前記リモートＳＩＭを利用して、前記ソースデバイスのセルラー無線トランシーバを介して外部デバイスと通信を行うステップとを含む、方法。
【請求項２】
前記シンクデバイスと前記ソースデバイスとの前記接続の解除に応答して、前記シンクデバイスにおいて前記リモートＳＩＭの登録を解除するステップをさらに含む、請求項１に記載の方法。
【請求項３】
前記シンクデバイスによって前記ソースデバイスから電話通信記録を受信するステップをさらに含み、前記電話通信記録は、連絡先リスト、メッセージログ、および通話記録のうちの１つ以上を含む、請求項１〜２のいずれか１項に記載の方法。
【請求項４】
前記シンクデバイスと前記ソースデバイスとの前記接続の解除に応答して、前記シンクデバイスにおいて前記リモートＳＩＭの登録を解除し、かつ、前記受信した電話通信記録を削除するステップをさらに含む、請求項１〜３のいずれか１項に記載の方法。
【請求項５】
前記シンクデバイスと前記ソースデバイスとの前記接続は、ワイヤレス接続を含み、前記外部デバイスと通信を行うステップは、
前記ソースデバイスのセルラー無線トランシーバを介して送信されるデータを、前記ワイヤレス接続を介して前記シンクデバイスによって前記ソースデバイスに出力するステップを含む、請求項１〜４のいずれか１項に記載の方法。
【請求項６】
前記ワイヤレス接続は、Ｂｌｕｅｔｏｏｔｈリンクを含み、前記ソースデバイスの前記無線トランシーバは、セルラートランシーバを含む、請求項５に記載の方法。
【請求項７】
前記識別情報を受信するステップは、前記ソースデバイスの複数のＳＩＭの各々についてそれぞれの識別情報を受信するステップを含み、
前記リモートＳＩＭを登録するステップは、前記ソースデバイスの複数のＳＩＭの各々についてそれぞれのリモートＳＩＭを前記それぞれの識別情報を用いて登録するステップを含む、請求項１〜６のいずれか１項に記載の方法。
【請求項８】
前記シンクデバイスは、前記リモートＳＩＭを利用して通信可能な無線トランシーバを含まない、請求項１〜７のいずれか１項に記載の方法。
【請求項９】
１つ以上の通信モジュールと、
請求項１〜８に記載の方法を実行するように構成された少なくとも１つのプロセッサとを備える、シンクデバイス。
【請求項１０】
ソースデバイスによってシンクデバイスに、前記シンクデバイスと前記ソースデバイスとの接続を介して前記ソースデバイスの加入者情報モジュール（ＳＩＭ）に対応する識別情報を出力するステップと、
前記ソースデバイスによって前記ソースデバイスのセルラー無線トランシーバを利用して、セルラーネットワークと前記シンクデバイスとの間でデータを中継するステップとを含み、前記中継されたデータは、前記ソースデバイスのＳＩＭに対応する前記識別情報を用いて前記シンクデバイスで登録されるリモートＳＩＭに対応する、方法。
【請求項１１】
前記ソースデバイスによって前記シンクデバイスに電話通信記録を出力するステップをさらに含む、請求項１０に記載の方法。
【請求項１２】
前記シンクデバイスと前記ソースデバイスとの前記接続は、ワイヤレス接続を含み、前記データを中継するステップは、
前記ソースデバイスによって前記シンクデバイスから、前記ワイヤレス接続を介してデータを受信するするステップと、
前記ソースデバイスのセルラー無線トランシーバを使用して前記データを前記セルラーネットワークに送信するステップとを含む、請求項１０〜１１のいずれか１項に記載の方法。
【請求項１３】
前記ワイヤレス接続は、Ｂｌｕｅｔｏｏｔｈリンクを含む、請求項１２に記載の方法。
【請求項１４】
前記識別情報を出力するステップは、前記ソースデバイスの複数のＳＩＭの各々についてそれぞれの識別情報を出力するステップを含む、請求項１０〜１３のいずれか１項に記載の方法。
【請求項１５】
１つ以上の通信モジュールと、
請求項１０〜１４に記載の方法を実行するように構成された少なくとも１つのプロセッサとを備える、ソースデバイス。
【請求項１６】
コンピュータによって実行されるプログラムであって、前記プログラムは、前記コンピュータに、請求項１〜１４のいずれか１項に記載の方法を実行させる、プログラム。
【国際調査報告】
2021515423.tif 000008
2021515423.tif 000009
2021515423.tif 000010